(57)【要約】【課題】デジタル放送のユーザはカラーキーによる選択方法に慣れているので、特別なボタンや知識を必要とせず、マルチ画面を操作することが出来るようにする。【解決手段】マルチ画面において、各画面のふちに赤、青、緑、黄のいずれかの色をつけておき、リモコンにて操作する場合、各画面に対応したカラーキーを押した後に、チャンネル、音量などのキーを押すことにより、画面選択を容易に行なう。【選択図】        図１
2004336414.tif 000002
【特許請求の範囲】
【請求項１】
デジタル放送受像機およびリモコンにおいて、表示機に表示している複数の画面に対し、それぞれ赤青黄緑色の縁を表示し、データ放送時に使用する４色のカラーボタンをデータ放送を表示していない時に押すことにより、複数の画面のうちの一つを選択モードにすることを特徴とするデジタル放送受像機。
【請求項２】
請求項１において、表示している複数の画面が均等のサイズであることを特徴とする映像録画装置。
【請求項３】
請求項１において、表示している複数の画面のうちの１画面が大画面であり残りは小画面であることを、特徴とする映像録画装置。
【発明の詳細な説明】
【０００１】
本発明は、デジタルＴＶ映像の受像機に関する。
【０００２】
【発明の属する技術分野】
本発明は、デジタルＴＶ映像の受像機における、マルチ画面表示機能を有するマルチ画面表示装置、データ放送受信装置、マルチ画面表示方法、記憶媒体およびプログラムに関する。
【０００３】
【従来の技術】
ＢＳデジタル放送では、従来のアナログ放送における文字放送に双方向性、オンデマンド型のマルチメディアサービスなど新規のサービスを付加したデータ放送が予定されている。
【０００４】
このデータ放送は、電波産業界ＡＲＩＢで規格化され、データ放送の詳細は、ＡＲＩＢ規格書（ＡＲＩＢ  ＳＴＤ  Ｂ・２４  デジタル放送におけるデータ放送符号化方式と伝送方式）に書かれている。
【０００５】
規格では、リモコンのカラーボタンが４色分定められ、データ放送画面にて操作することが想定されている。
【０００６】
このリモコンのカラーボタンを使用して、データ放送のサイズを変更するものに、ＦｉｌｅＮｏ．２０１４８５  由井他２名発明、がある。この発明に関しても、カラーボタンの使用は、データ放送に限られており、デジタル受信機のカラーボタンの使用は、上記のようにデータ放送内で使用するようになっている。
【０００７】
この他のカラーボタンの例として「特開平０６−１６５０５４号公報ビデオ制御装置」は、子供用のボタンとして使用するものであり、「特開平１０−０４０００６号公報画像表示システム及び画像表示装置及びポインタ装置及びこれらの制御方法」は、ポインタからの色信号を認識し、対応処理を行なうものであり、「特開平８−２５１１２３号公報番組選択装置および方法」は、番組のカテゴリをカラーボタンに対応させるものである。
【０００８】
また、デジタルＴＶ用のリモコンにてビデオを操作する時に、カラーボタンをＴＶとは関係ないプレイやストップなどといったビデオ独自の機能に使用することがあった。
【０００９】
一方、最近のテレビ受信機には、マルチ画面表示機能が設けられており、２チャンネルを同時に受信して画面に同時表示できる機能が組み込まれたものが出現している。
【００１０】
【発明が解決しようとする課題】
しかしながら、上記マルチ画面表示機能を有するデジタル放送受像機で、チャンネルを変える等の操作をするには、まずどの画面に対して操作を行なうかの選択をしなければならない。この選択方法にはリモコン上に専用のボタンを用意するか、矢印キーにてカーソル移動後決定ボタンを押すなどの方法があるが、ただでさえ、ボタンの多いデジタル受像機のボタンが増えたり、１アクションで画面が選べないという問題があった。
【００１１】
また、どの画面が選ばれているか、ユーザにわかりにくいという欠点もあった。
【００１２】
（目的）
本発明はマルチ画面にて、画面選択をカラーボタンを使用し、容易に行なえるようにすることを目的とする。
【００１３】
【課題を解決するための手段】
デジタル放送受像機およびリモコンにおいて、表示機に表示している複数の画面に対し、それぞれ赤青黄緑色の縁を表示し、データ放送時に使用する４色のカラーボタンをデータ放送を表示していない時に押すことにより、複数の画面のうちの一つを選択モードにすることを特徴とするデジタル放送受像機が、提供される。
【００１４】
（作用）
本発明のシステムによれば、マルチ画面において、各画面のふちに赤、青、緑、黄のいずれかの色をつけておき、リモコンにて操作する場合、各画面に対応したカラーキーを押した後に、チャンネル、音量などのキーを押すことにより、画面選択および操作が連続して容易に行なえる。
【００１５】
【発明の実施の形態】
以下、実施例の動作を概略する。
【００１６】
リモコンにて１回目のカラーキーの押し下げに伴い、データ放送が表示されていない時はマルチ画面のふちを各４色に表示する。２回目のカラーキーの押し下げに伴い、選択された画面のふちが一定時間大きくなる。その間に押したリモコンの操作はその画面に対してのみ処理を行なう。
以下、図を示しながら詳細な説明を行なう。
【００１７】
図２、図１０、図３、図４、図５、図１は本発明第１実施例を説明するための図である。
【００１８】
図２は、本発明第１実施例の受像機周辺のシステム説明図である。
【００１９】
図中、２１はＢＳ放送用アンテナ、２２はセットトップボックスと呼ばれる受像機、２３は受信機用リモコン、２４は受信した映像を表示するディスプレイ、である。
【００２０】
受像機２２は、デジタルＢＳ放送ならびに、現在規格策定中であるデジタル地上波放送を受信できる受像機である。また、受像機は、複数の放送波および外部入力端子を持ち、同時に複数の映像をマルチ画面表示することが出来る。
【００２１】
リモコン操作により、単画面表示からマルチ画面表示に切り替えたり、マルチ画面のそれぞれの画面ごとにチャンネル切り替えや、サイズ変更を行なうことが出来る。
【００２２】
以下、図を使って詳細に説明する。
【００２３】
図８は、本発明第１実施例の受像機および周辺装置の詳細ブロック図である。
【００２４】
図中、１０１はＢＳ受信アンテナ、１０２はＢＳＣＳ共聴チューナモジュール、１０３はスクランブル解除ＩＣ、１０４は、映像とデータを分離するデマックス、１０５から１０７は、１０２から１０４にそれぞれ対応する同じ機能のブロックモジュール、１０８は映像及び音声を伸張するデコーダー、１０９はＮＴＳＣアナログ信号をデジタル化するデコーダー、１１０は複数の画面を合成するＩＣ、１１１はディスプレイ用の信号に変換するドライバＩＣ、１１２は外部スピーカ、１１３は外部ディスプレイ、１１４はハードディスク用インタフェース、１１５は映像記録用ハードディスク、１１６は受信機全体を制御するマイクロプロセッサ、１１７はデータを一時記憶するメモリ、１１８はデータを表示するためのグラフィックコントローラ、１１９はカードインタフェース、１２０は外部から静止画を読み込むコンパクトフラッシュ（Ｒ）カード、１２１はリモコン、１２２はリモコンからの赤外線信号を受ける受光部、１２３は受光部で受けた信号を復調しノイズ成分を除去するコマンド変換部、１２４は電話回線と接続するためのモデム、１２６はＩＥＥＥ１３９４インタフェースＩＣ、１２７は外部ビデオカメラ、１２８は外部Ｄ−ＶＨＳビデオ、１２９は外部ＤＶＤ−ＲＡＭ、１３０は外部接続のデジタル地上波受信機、である。
【００２５】
ＢＳＣＳチューナ１０２，１０５は２系統あり、その他にＮＴＳＣＶｉｄｅｏ入力、メモリカード１２０内の静止画に加え、ＨＤＤに蓄えてあった映像や静止画の表示を行なうことが出来る。
【００２６】
デコーダーは２入力に対応するものであり、マルチスクリーン制御部１１０にて、外部を加えた３入力の映像と、グラフィックコントローラからの静止画、ＯＳＤ、背景などを合成することが出来る。最大画面数は４画面＋背景画面である。合成した出力は、ディスプレイＩＦ１１１にてディスプレイの解像度に合わせてから、ＣＲＴやＰＤＰ１１３にて表示される（ＯＳＤはオンスクリーンディスプレイの略）。
【００２７】
図３は、本発明第１実施例のリモコンの操作ボタンの配置図である。
【００２８】
図中３１は操作面、３２は電源ボタン、３３はＢＳその他の機能ボタン、３４はチャンネルボタン、３５は方向および決定ボタン、３６は音量ボタン、３７はカラーボタン、３８はデータ放送を切り替えるボタン、である。
【００２９】
図のように、デジタルＢＳを操作するリモコンには、青、赤、緑、黄の４色のカラーボタンが備わっており、データ放送時には、カラーボタンによって、画面に出るアイコンを選択することで、データ放送の表示を変えたり、ゲームに参加したりする。データ放送を呼んだり閉じたりするには、データ放送ボタン３８を押す。
【００３０】
本発明では、データ放送以外の時に、カラーボタン３７を押すことで、マルチ画面から一つの画面を選択する。もし、データ放送になっている時は、先にデータ放送ボタン３８を押すことでデータ放送から抜ける必要がある。
【００３１】
図４は、本発明第１実施例のマルチ画面を表わした図、である。
【００３２】
図中、４１は映像Ａ、４２は映像Ｂ、４３は映像Ｃ、４４は映像Ｄ、４５は背景画像、を表示している。
【００３３】
ＡからＤの映像には、２個のＢＳＣＳチューナ１０２、１０５で受信した放送や、外部からのＮＴＳＣ映像入力、ならびに、ＨＤＤで記録してあった番組、また、コンパクトフラッシュ（Ｒ）カード１２０内の静止画、等から４種類の映像を選択して表示している。
【００３４】
図５は、本発明第１実施例の画面選択状態の図、である。
【００３５】
図中、４１は映像Ａ、４２は映像Ｂ、４３は映像Ｃ、４４は映像Ｄ、４５は背景画像、５１は選択中の青の縁取り、５２は赤の縁取り、５３は緑の縁取り、５４は黄の縁取り、を表示している。
【００３６】
この図の状態は、４映像のマルチ画面にて、それぞれの画面の縁に４色の縁取りを表示して、画面が色にて判別できるようになっている。そして、青の縁取りのみ太くすることによって、映像Ａの画面が選択されていることを示す。
【００３７】
図１は、本発明第１実施例の動作の流れ図である。
【００３８】
まず、ステップ１１にて、ユーザがリモコン１２１の例えば赤のカラーボタンを押した時、ＳＴＢの受光部１２２ならびにコマンド変換部１２３にて、カラーボタン赤のコマンドに変換し、ＭＰＵ１１６が受け取る。次にステップ１２にて、ＭＰＵがデータ放送をグラフィックコントローラ１１８を使用して表示していたかどうかで次に実行するステップが変わる。データ放送を表示していた時は、ステップ１３にて、データ放送での赤ボタンに対する処理を行なう。
【００３９】
データ放送を表示していない時は、ステップ１４にて、ＭＰＵがグラフィックコントローラ１１８を使用して画面の縁取り色５１〜５４を表示していたかどうかで次のステップが変わる。
【００４０】
縁取り色を表示していなかった時は、グラフィックコントローラ１１８を使用して映像Ａ〜Ｄの周りに各色の縁取りを表示する。この時は、４個のカラーボタンのいずれを押しても同様の処理になる。
【００４１】
図５のように、縁取り色を表示していた時は、グラフィックコントローラ１１８を使用して、赤ボタンに対応する赤色の縁取りのみを太くする。この時、他の色の縁取り（図５では青色の縁取り５１）が太かった場合は、これを細い縁取りに変更する。
【００４２】
次に、本発明第２実施例として、親画面と子画面からなるマルチ画面の場合を示す。
【００４３】
図６は、本発明第２実施例の画面選択状態の図、である。
【００４４】
図中、６１は映像Ａ、６２は映像Ｂ、６３は映像Ｃ、６４は映像Ｄ、６５は選択中の青の縁取り、６６は赤の縁取り、６７は緑の縁取り、６８は黄の縁取り、を表示している。
【００４５】
この図の状態は、映像Ｄを親画面（大画面）で表示し、他の映像Ｂ，Ｃ，Ｄを子画面（小画面）にて表示し、それぞれの画面の右端に４色の表示を行ない、画面が色にて判別できるようになっている。そして、赤のみ全周を縁取りすることによって、映像Ｂの画面が選択されていることを示す。
【００４６】
このように、マルチ画面において、画面の縁の一部（例えば右側）をリモコンのカラーボタンの色に対応した色に表示する。そして選択画面のみ全周を着色することによって、選択画面であることを示すことが出来る。
【００４７】
同様に、画面の縁に限ることなく、画面の一部領域など、画面に相対して４色を表示すれば、同じ効果が得られる。
【００４８】
次に、本発明第３実施例として、縁取りと画面選択を一気にする場合を示す。
【００４９】
図７は、本発明第３実施例の動作の流れ図である。
【００５０】
まず、ステップ１１にて、ユーザがリモコン１２１の例えば赤のカラーボタンを押した時、ＳＴＢの受光部１２２ならびにコマンド変換部１２３にて、カラーボタン赤のコマンドに変換し、ＭＰＵ１１６が受け取る。次にステップ１２にて、ＭＰＵがデータ放送をグラフィックコントローラ１１８を使用して表示していたかどうかで次のステップが変わる。データ放送を表示していた時は、ステップ１３にて、データ放送での赤ボタンに対する処理を行なう。ここまでは、図１と同様である。
【００５１】
データ放送を表示していない時は、ＭＰＵがグラフィックコントローラ１１８を使用して画面の縁取り色５１〜５４を表示していたかどうかに関わらず、グラフィックコントローラ１１８を使用して映像Ａ〜Ｄの周りに各色の縁取りを表示する。そして、赤ボタンに対応する赤色の縁取りのみを太くする。この時、他の色の縁取りが太かった場合は、これを細い縁取りに変更する。
【００５２】
この場合、縁取りがなされていない状態にて、押されたカラーボタンの種類によって一気に選択までされるので、画面に対応するカラーを記憶しているユーザの場合は便利である。もし思ったものと異なる画面が選択された場合は、別の該当するカラーボタンを押せばよい。
【００５３】
また、本発明は、構成要素動作が同じならば上記実施例の形態に限らない。たとえば、受信機をディスプレイ筐体内に内蔵した形態でも、実施できる。
【００５４】
【発明の効果】
本発明により以下の効果がある。
【００５５】
デジタル放送の視聴者はカラーボタンによる選択方法に慣れているので、特別な知識なしに、マルチ画面を操作することが出来る。
【図面の簡単な説明】
【図１】本発明第１実施例の動作の流れ図。
【図２】本発明第１実施例の受信機周辺のシステム説明図。
【図３】本発明第１実施例のリモコンの操作ボタンの配置図。
【図４】本発明第１実施例のマルチ画面を表わした図。
【図５】本発明第１実施例の画面選択状態の図。
【図６】本発明第２実施例の画面選択状態の図。
【図７】本発明第３実施例の動作の流れ図。
【図８】本発明第１実施例の受像機および周辺装置の詳細ブロック図。
【図１】
2004336414.tif 000003
【図２】
2004336414.tif 000004
【図３】
2004336414.tif 000005
【図４】
2004336414.tif 000006
【図５】
2004336414.tif 000007
【図６】
2004336414.tif 000008
【図７】
2004336414.tif 000009
【図８】
2004336414.tif 000010